(57)【要約】  【課題】箱体の内部に生コンクリートを充填し、かつ、生コンクリートが乾燥した後に蓋をするようにしたカウンタウエイト構造において、生コンクリートの乾燥が済んでいない状態で蓋をしてしまうという不都合を無くすことができるとともに、生コンクリートの乾燥を早めて生産効率を向上させる。  【解決手段】上面中央に蓋２７で閉じられる投入用開口部２８を設けて中空構造体として作られた箱体２５と、該投入用開口部２８から該箱体２５の内部に充填された重量付加用の生コンクリート材Ｗとからなり、上部旋回体の最終部位置に取り付けられて重量バランスをとる建設機械のカウンタウエイトであって、箱体２５の上面２５ｃで、かつ、投入用開口部２８からそれぞれ左右両側に分かれた各位置に、生コンクリート材Ｗを充填した後から蓋２９で閉じられる確認用孔３０をそれぞれ設けた。【選択図】図２
2007186878.tif 000002
【特許請求の範囲】
【請求項１】
上面中央に蓋で閉じられる投入用開口部を設けて中空構造体として作られた箱体と、前記投入用開口部から前記箱体の内部に充填された重量付加用の生コンクリート材とからなり、上部旋回体の最終部位置に取り付けられて重量バランスをとる建設機械のカウンタウエイト構造において、
前記箱体の上面部で、かつ、前記投入用開口部からそれぞれ左右両側に分かれた各位置に、前記生コンクリート材を充填した後から蓋で閉じられる確認用孔をそれぞれ設けたことを特徴とする建設機械のカウンタウエイト構造。
【発明の詳細な説明】
【技術分野】
【０００１】
本発明は、例えばホイール式マテハン機、油圧ショベル等の建設機械のカウンタウエイト構造に関するものであり、特に、内部に重量付加用の生コンクリート材を充填してなる建設機械のカウンタウエイト構造に関するものである。
【背景技術】
【０００２】
図３は、建設機械であるホイール式マテハン機の一例を示す。ホイール式マテハン機１１は、駆動輪１２，１２を具備した下部走行体１３と、この下部走行体１３の上に、旋回機構１４を介して縦軸廻りに旋回自在に搭載した上部旋回体１５とを備える。
【０００３】
上部旋回体１５には、左側寄り前部に取り付けたキャブ１６と、右側寄り前部に上下揺動自在に取り付けたバケット式の作業機１７とを有し、また最後部位置にカウンタウエイト２４を取り付けている。
【０００４】
作業機１７は、ブーム１８、アーム１９、バケット２０を備え、ブーム１８は、ブームシリンダ２１により上部旋回体１５に対して上下方向に揺動される。また、アーム１９は、アームシリンダ２２の駆動によりブーム１８に対して上下方向に揺動され、バケット２０は、バケットシリンダ２３の駆動によりアーム１９に対して上下方向に回動される構造になっている。
【０００５】
図４および図５は、従来技術によるカウンタウエイト２４を示す。カウンタウエイト２４は、上部旋回体１５の前部側に設けられた作業機１７との重量バランスをとるものであり、鉄材を加工して中空構造体として作られている箱体２５を有し、該箱体２５の内部に重量付加材として生コンクリート材Ｗ（図５参照）を充填・固化させた構造になっている。その箱体２５の後端面２５ａは凸状に湾曲し、前面２５ｂはエンジン等を装着したカバー部材に対応して平面状に作られて車体フレームに固定されるように構成されている。さらに、カウンタウエイト２４の箱体２５における上面２５ｃの中央には、蓋２７で閉じられる投入用開口部２８を設け、該投入用開口部２８から生コンクリート材Ｗを入れ、その生コンクリート材Ｗを乾燥させた後に、投入用開口部２８を蓋２７で閉じる構造になっている。蓋２７の箱体２５への固定は、ねじ止め、あるいは溶接で行う。図４及び図５は、生コンクリート材Ｗの乾燥を終え、投入用開口部２８を蓋２７で閉じた後の状態を示している。
【０００６】
なお、中空構造体内に、重量付加材としてコンクリート等を充填してなるカウンタウエイトの構造は、例えば特許文献１でも見ることができる。特許文献１のカウンタウエイトの構造は、上面中央の一箇所だけに、蓋で閉じられる投入用開口部を設け、該投入用開口部を利用して内部にセメント等の重量付加材が収容できる構造になっている。
【特許文献１】特開平７−１５８１１６号公報。
【発明の開示】
【発明が解決しようとする課題】
【０００７】
図４，図５に示したカウンタウエイト、及び特許文献１に記載されているカウンタウエイトは、内部に重量付加材を充填するための投入用開口部が、上面の中央一箇所にしか設けられていない。したがって、重量付加材としての生コンクリートを充填させる構造では、一般的な製造手順として、まず投入用開口部から生コンクリートを充填し、投入用開口部を開けたまま長時間放置して生コンクリートを乾燥させ、乾燥後に蓋で投入用開口部を閉じるようにしている。
【０００８】
この製造手順では、生コンクリートの乾燥が不完全な状態で投入用開口部に蓋をすると、内部に水が溜まり、錆を発生させ、カウンタウエイトを構成している溶接部分にピンホールを作り、このピンホールから水が漏れる等の不具合を発生させる虞がある。
【０００９】
また、投入用開口部は、中央の一箇所だけにしか設けられていないために、投入用開口部については目で確認することができるが、それ以外の部分、特に左右の奥まった部分については目で直接見ることができない。このため、奥まっている部分が乾燥しているか否かを直接確認することができず、水が溜まっている状態で蓋をしてしまう虞があった。さらに、投入用開口部が中央の一箇所にだけしか設けられていないので、全体が乾燥するまでに時間もかかり、生産性が悪いという問題点があった。
【００１０】
そこで、箱体の内部に生コンクリートを充填し、かつ、生コンクリートが乾燥した後に蓋をするようにしたカウンタウエイト構造において、生コンクリートの乾燥が済んでいない状態で蓋をしてしまうという不都合を無くすことができるとともに、生コンクリートの乾燥を早めて生産効率を向上させることができる構造にするために解決すべき技術的課題が生じてくるのであり、本発明はこの課題を解決することを目的とする。
【課題を解決するための手段】
【００１１】
本発明は上記目的を達成するために提案されたものであり、請求項１記載の発明は、上面中央に蓋で閉じられる投入用開口部を設けて中空構造体として作られた箱体と、前記投入用開口部から前記箱体の内部に充填された重量付加用の生コンクリート材とからなり、上部旋回体の最終部位置に取り付けられて重量バランスをとる建設機械のカウンタウエイト構造において、前記箱体の上面部で、かつ、前記投入用開口部からそれぞれ左右両側に分かれた各位置に、前記生コンクリート材を充填した後から蓋で閉じられる確認用孔をそれぞれ設けた建設機械のカウンタウエイト構造を提供する。
【００１２】
この構成によれば、生コンクリートの充填後、上面中央部分の乾燥状態は中央の投入用開口部を通して目で直接見て確認ができ、投入用開口部よりも左右に奥まっている部分の乾燥状態は、中央の投入用開口部とは別に、この投入用開口部を挟んで左右両側に分かれた各位置にそれぞれ設けられている確認用孔を通して目で直接見て確認することができる。また、投入用開口部よりも左右に奥まっている部分は、確認用孔から侵入する外気と触れることによって乾燥が促進され、コンクリートの乾燥を早めることができる。
【発明の効果】
【００１３】
請求項１記載の発明は、投入用開口部よりも左右両側に奥まっている部分についての乾燥状態は、左右両側に設けている各確認用孔を通して目で直接見て確認することができるので、乾燥が不十分な状態で蓋をしてしまい、後から水が出で錆びを発生させるというような不都合を無くすことができ、信頼性が向上する。
【００１４】
また、投入用開口部よりも左右に奥まっている部分は、確認用孔から侵入する外気との接触により乾燥が促進され、コンクリートの乾燥を早めることができるので、生産効率の向上が期待できる。
【発明を実施するための最良の形態】
【００１５】
以下、本発明の建設機械のカウンタウエイト構造について、好適な実施例をあげて説明する。
【００１６】
箱体の内部に生コンクリートを充填し、かつ、生コンクリートが乾燥した後に蓋をするようにしたカウンタウエイト構造において、生コンクリートの乾燥が済んでいない状態で蓋をしてしまうという不都合を無くすことができるとともに、生コンクリートの乾燥を早めて生産効率を向上させるという目的を達成するために、上面中央に蓋で閉じられる投入用開口部を設けて中空構造体として作られた箱体と、前記投入用開口部から前記箱体の内部に充填された重量付加用の生コンクリート材とからなり、上部旋回体の最終部位置に取り付けられて重量バランスをとる建設機械のカウンタウエイト構造において、前記箱体の上面部で、かつ、前記投入用開口部からそれぞれ左右両側に分かれた各位置に、前記生コンクリート材を充填した後から蓋で閉じられる確認用孔をそれぞれ設けることにより実現した。
【実施例】
【００１７】
図１及び図２は、本発明の実施の形態に係る建設機械のカウンタウエイトを示す。なお、説明の都合上、従来と同一構成部分には同一符号を付して説明する。また、以下の説明では、本実施の形態のカウンタウエイトは、図４及び図５に示したカウンタウエイトに変えて、図３に示したホイール式マテハン機１１の上部旋回体１５の最後部位置に取り付けることが可能なものとして説明するが、これ以外の建設機械にも適用できるものである。
【００１８】
図１及び図２に示すように、上部旋回体１５の前部側に設けられた作業機１７との重量バランスをとるためのカウンタウエイト２４は、鉄材を加工して中空構造体として作られている箱体２５を有し、該箱体２５の内部に重量付加材として生コンクリート材Ｗ（図２参照）が充填・固化された構造になっている。その箱体２５の後端面２５ａは凸状に湾曲し、前面２５ｂはエンジン等を装着したカバー部材に対応して平面状に作られて車体フレームに固定されるように構成されている。
【００１９】
カウンタウエイト２４の箱体２５における上面２５ｃの中央には、蓋２７で閉じられる投入用開口部２８を設け、該投入用開口部２８から生コンクリート材Ｗを入れ、その生コンクリート材Ｗを乾燥させた後に、投入用開口部２８を蓋２７で閉じる構造になっている。蓋２７の箱体２５への固定は、ねじ止め、あるいは溶接で行う。
【００２０】
さらに、箱体２５の上面２５ｃにおいて、投入用開口部２８を中心として、それぞれ左右両端側に離れた各位置には、蓋２９で閉じられる確認用孔３０を設けている。各確認用孔３０は、カウンタウエイト２４内に充填された生コンクリート材Ｗが所定の状態、例えばコンクリート上面から水が無くなる状態になるまで乾燥したのを確認した後から、蓋２９により閉じられるものである。また、カウンタウエイト２４の箱体２５に対する蓋２９の取り付けは、ねじ止め、あるいは溶接で行う。
【００２１】
なお、各確認用孔３０，３０及び投入用開口部２８は、カウンタウエイト２４内に充填された生コンクリート材Ｗの乾燥を行わせる際、内部に溜まった水を抜く作業で使用したり、水抜き後、この確認用孔３０，３０及び投入用開口部２８を通して外気に生コンクリート材Ｗを触れさせることにより、乾燥を促進させて、生コンクリートＷの乾燥を早める役目をもする。
【００２２】
したがって本実施の形態におけるカウンタウエイト２４の構造によれば、生コンクリート材Ｗを充填するために設けられている中央の投入用開口部２８とは別に、この投入用開口部２８を挟んで左右両側に分かれた各位置に確認用孔３０，３０を設けているので、投入用開口部２８よりも左右に奥まっている部分の箇所についての乾燥状態は、その確認用孔３０，３０を通して目で直接見て確認することができる。これにより、乾燥が不十分な状態で蓋２７をしてしまい、後から水が出で錆びを発生させるというような不都合を無くすことができ、信頼性が向上する。
【００２３】
また、投入用開口部２８よりも左右に奥まっている部分は、確認用孔３０，３０から侵入する外気に生コンクリートが触れることにより乾燥が促進され、コンクリートの乾燥を早めることができるので、生産効率の向上が期待できる。
【００２４】
なお、本発明は、本発明の精神を逸脱しない限り種々の改変を為すことができ、そして、本発明が該改変されたものに及ぶことは当然である。
【図面の簡単な説明】
【００２５】
【図１】本発明の実施の形態に係る建設機械のカウンタウエイトの斜視図。
【図２】一部を破断して内部構造を示した同上カウンタウエイトの平面図。
【図３】建設機械の一例として示すホイール式マテハン機の側面図。
【図４】従来のカウンタウエイトの斜視図。
【図５】一部を破断して内部構造を示した従来におけるカウンタウエイトの平面図。
【符号の説明】
【００２６】
１１    ホイール式マテハン機
１２    駆動輪
１３    下部走行体
１４    旋回機構
１５    上部旋回体
１６    キャブ
１７    バケット式作業機
１８    ブーム
１９    アーム
２０    バケット
２１    ブームシリンダ
２２    アームシリンダ
２３    バケットシリンダ
２４    カウンタウエイト
２５    箱体
２５ａ  後端面
２５ｂ  前面
２５ｃ  上面
２７    蓋
２８    投入用開口部
２９    蓋
３０    確認用孔
Ｗ      生コンクリート材
【図１】
2007186878.tif 000003
【図２】
2007186878.tif 000004
【図３】
2007186878.tif 000005
【図４】
2007186878.tif 000006
【図５】
2007186878.tif 000007